(57)【要約】【課題】基板カバーの取付作業を容易に行うことができる照明装置を提供する。【解決手段】冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、基板カバー６０をシャーシ１４に対して係止するためのナット部材８０と、を備え、シャーシ１４における基板カバー６０の取付箇所には、基板カバー６０に向けて突出されるボルト部材７０が設けられ、基板カバー６０には、ボルト部材７０が挿通されるカバー側挿通孔６５が形成され、ナット部材８０は、カバー側挿通孔６５にボルト部材７０が挿通された状態の基板カバー６０を、シャーシ１４との間で挟む形にて当該シャーシ１４に係止可能なように、ボルト部材７０に付設されてなることを特徴とする。【選択図】図６
2012043613.tif 000002
【特許請求の範囲】
【請求項１】
光源と、
前記光源が収容されるシャーシと、
前記シャーシに取り付けられる回路基板と、
前記シャーシに取り付けられ、前記回路基板を覆う形で配される基板カバーと、
前記基板カバーを前記シャーシに対して係止するための係止部と、を備え、
前記シャーシにおける前記基板カバーの取付箇所には、前記基板カバーに向けて突出される突部が設けられ、
前記基板カバーには、前記突部が挿通される挿通孔が形成され、
前記係止部は、前記挿通孔に前記突部が挿通された状態の前記基板カバーを、前記シャーシとの間で挟む形にて当該シャーシに係止可能なように前記突部に付設されていることを特徴とする照明装置。
【請求項２】
前記突部は、ボルト部材であって、
前記係止部は、前記ボルト部材に対して螺合されるナット部材であることを特徴とする請求項１に記載の照明装置。
【請求項３】
前記ナット部材及び前記ボルト部材は多条ねじを介して、互いに螺合されていることを特徴とする請求項２に記載の照明装置。
【請求項４】
前記係止部は、前記突部が挿通可能な係止部側挿通孔を有し、
前記突部を前記係止部側挿通孔に挿通させることで、前記係止部が前記突部に付設される構成であって、
前記係止部側挿通孔の内周面には、前記突部に当接される複数の突起部が形成されていることを特徴とする請求項１に記載の照明装置。
【請求項５】
前記係止部は、前記突部に対して、前記突部の先端を覆う形で取り付けられるキャップ部材であって、
前記キャップ部材には、前記シャーシとの間で前記基板カバーを挟持するフランジ部が形成されていることを特徴とする請求項１に記載の照明装置。
【請求項６】
前記係止部は、前記突部に外挿されるスナップリングであることを特徴とする請求項１に記載の照明装置。
【請求項７】
前記係止部は、形状記憶合金からなり、所定温度において、前記挿通孔に前記突部が挿通された状態の前記基板カバーを前記シャーシとの間で挟む形にて当該シャーシに係止する形状に復帰する構成であることを特徴とする請求項１に記載の照明装置。
【請求項８】
前記係止部は、前記突部の先端に形成されるとともに、前記挿通孔の孔径よりも大きい径を有する円柱状をなしており、
前記係止部の先端に係止部側溝部が形成されることで、前記係止部は前記挿通孔の孔径よりも小さい径となる形に弾性変形可能な構成であることを特徴とする請求項１に記載の照明装置。
【請求項９】
前記係止部は、前記突部の先端をかしめることで形成されていることを特徴とする請求項１に記載の照明装置。
【請求項１０】
請求項１から請求項９のいずれか１項に記載の照明装置と、
前記照明装置からの光を利用して表示を行う表示パネルと、を備えることを特徴とする表示装置。
【請求項１１】
前記表示パネルが液晶を用いた液晶パネルであることを特徴とする請求項１０に記載の表示装置。
【請求項１２】
請求項１０又は請求項１１に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
従来、液晶テレビなどの液晶表示装置に用いる液晶パネルは、自発光しないため、別途に照明装置としてバックライト装置を備えている。このバックライト装置は、液晶パネルの裏側（表示面とは反対側）に設置されるものが周知であり、液晶パネル側に開口された形状をなすシャーシと、シャーシにおける底板の内面側に設置される複数の光源（例えば冷陰極管やＬＥＤなど）と、シャーシの開口部に配されて光源が発する光を効率的に液晶パネル側へ放出させるための光学部材（拡散板等）と、シャーシ内に敷設され、光源からの光を光学部材並びに液晶パネル側に反射させる光反射シートなど備えている。
【０００３】
また、シャーシには、液晶表示装置の駆動に係る回路基板が取り付けられており、この回路基板を覆う形で基板カバーが取り付けられているものが知られている。このような基板カバー及び回路基板は、例えば、ビスなどの取付手段にてシャーシに取り付けられる。なお、シャーシに対して回路基板をビスで固定する構成の液晶表示装置の一例として下記特許文献１に記載されたものが知られている。
【先行技術文献】
【特許文献】
【０００４】
【特許文献１】特開２００７−１８０７５１号公報
【発明の概要】
【発明が解決しようとする課題】
【０００５】
上記のような基板カバーをシャーシに取り付ける場合には、基板カバーを所定の取付位置に保持させておく必要がある。従来、このような基板カバーの保持作業は、作業者が手で行っており、作業性において改善の余地があった。
【０００６】
本発明は上記のような事情に基づいて完成されたものであって、基板カバーの取付作業を容易に行うことができる照明装置を提供することを目的とする。また、このような照明装置を備えた表示装置、及びテレビ受信装置を提供することを目的とする。
【課題を解決するための手段】
【０００７】
上記課題を解決するために、本発明の照明装置は、光源と、前記光源が収容されるシャーシと、前記シャーシに取り付けられる回路基板と、前記シャーシに取り付けられ、前記回路基板を覆う形で配される基板カバーと、前記基板カバーを前記シャーシに対して係止するための係止部と、を備え、前記シャーシにおける前記基板カバーの取付箇所には、前記基板カバーに向けて突出される突部が設けられ、前記基板カバーには、前記突部が挿通される挿通孔が形成され、前記係止部は、前記挿通孔に前記突部が挿通された状態の前記基板カバーを、前記シャーシとの間で挟む形にて当該シャーシに係止可能なように、前記突部に付設されていることに特徴を有する。
【０００８】
本発明においては、突部を挿通孔に挿通させることにより、基板カバーをシャーシに対して保持させることができる。これにより、突部を挿通孔に挿通させた後は、基板カバーを手などで保持する必要がなく、作業性を向上させることができる。そして、係止部は挿通孔に突部が挿通された状態の基板カバーを、シャーシとの間で挟む形にて当該シャーシに係止可能なように、突部に付設されている。このため、基板カバーが突部から外れてしまう事態を抑制でき、基板カバーを確実に固定することができる。
【０００９】
上記構成において、前記突部は、ボルト部材であって、前記係止部は、前記ボルト部材に対して螺合されるナット部材であるものとすることができる。
【００１０】
ボルト部材及びナット部材を用いれば、比較的簡易な構成で突部及び係止部を構成することができる。
【００１１】
また、前記ナット部材及び前記ボルト部材は多条ねじを介して、互いに螺合されているものとすることができる。
【００１２】
多条ねじによって螺合される構成であれば、１条ねじを用いた構成と比較して、ナット部材をボルト部材に螺合させる際の作業速度を向上させることができ、作業性が良好となる。
【００１３】
また、前記係止部は、前記突部が挿通可能な係止部側挿通孔を有し、前記突部を前記係止部側挿通孔に挿通させることで、前記係止部が前記突部に付設される構成であって、前記係止部側挿通孔の内周面には、前記突部に当接される複数の突起部が形成されているものとすることができる。
【００１４】
複数の突起部が突部に当接することで、係止部が突部から脱落する事態をより確実に抑制でき、基板カバーをより確実に固定することができる。
【００１５】
前記係止部は、前記突部に対して、前記突部の先端を覆う形で取り付けられるキャップ部材であって、前記キャップ部材には、前記シャーシとの間で前記基板カバーを挟持するフランジ部が形成されているものとすることができる。
【００１６】
突部の先端をキャップ部材によって覆うことで、安全性をより高くすることができる。
【００１７】
また、前記係止部は、前記突部に外挿されるスナップリングであるものとすることができる。スナップリングを突部に外挿するだけで、基板カバーの固定を行うことができ、作業性を向上させることができる。
【００１８】
また、前記係止部は、形状記憶合金からなり、所定温度において、前記挿通孔に前記突部が挿通された状態の前記基板カバーを前記シャーシとの間で挟む形にて当該シャーシに係止する形状に復帰する構成であるものとすることができる。
【００１９】
係止部を所定温度にすることで、シャーシとの間で挟む形にて当該シャーシに係止する形状に復帰させることができる。このような構成とすれば、係止部を基板カバーに係止させる作業を容易に行うことができ、好適である。また、仮に、突部及び係止部が複数形成されている構成の場合には、温度変化によって、複数の係止部を一括して基板カバーに係止させる形状へ復帰させることができるから、作業性を大幅に向上させることができる。
【００２０】
また、前記係止部は、前記突部の先端に形成されるとともに、前記挿通孔の孔径よりも大きい径を有する円柱状をなしており、前記係止部の先端に係止部側溝部が形成されることで、前記係止部は、前記挿通孔の孔径よりも小さい径となる形に弾性変形可能な構成であるものとすることができる。
【００２１】
係止部を挿通孔の孔径よりも小さい径に変形させた状態で、挿通孔に係止部及び突部を挿通させる。係止部が挿通孔を通過して、突部が挿通孔に挿通された状態では、係止部が弾性復帰し、挿通孔の孔径よりも大きい径となる。これにより、係止部は基板カバーをシャーシとの間で挟む形にて当該シャーシに係止することができる。
【００２２】
前記係止部は、前記突部の先端をかしめることで形成されているものとすることができる。
【００２３】
突部の先端をかしめることで、係止部を形成すれば、基板カバーをシャーシに対して、より強固に係止することができる。
【００２４】
次に、上記課題を解決するために、本発明の表示装置は、上述した照明装置と、前記照明装置からの光を利用して表示を行う表示パネルと、を備えることを特徴とする。
【００２５】
また、前記表示パネルとしては液晶パネルを例示することができる。このような表示装置は液晶表示装置として、種々の用途、例えばテレビやパソコンのデスクトップ画面等に適用でき、特に大型画面用として好適である。
【００２６】
次に、上記課題を解決するために、本発明のテレビ受信装置は、上記表示装置を備えることを特徴とする。
【発明の効果】
【００２７】
本発明によれば、基板カバーの取付作業を容易に行うことができる照明装置と、このような照明装置を備えた表示装置、テレビ受信装置を提供することが可能となる。
【図面の簡単な説明】
【００２８】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図２の液晶表示装置が備えるバックライト装置の裏面を示す平面図。
【図５】図４において基板カバーを取り付けた状態を示す拡大図。
【図６】基板カバー及びコントロール基板の取付構造を示す断面図（図５のＡ−Ａ線で切断した図）。
【図７】本発明の実施形態２に係る基板カバー及びコントロール基板の取付構造を示す断面図。
【図８】本発明の実施形態３に係る基板カバー及びコントロール基板の取付構造を示す断面図。
【図９】図８の基板カバー及びコントロール基板の取付構造を示す平面図。
【図１０】本発明の実施形態４に係る基板カバー及びコントロール基板の取付構造を示す断面図。
【図１１】本発明の実施形態５に係る基板カバー及びコントロール基板の取付構造を示す断面図。
【図１２】図１１の基板カバー及びコントロール基板の取付構造を示す平面図。
【図１３】本発明の実施形態６に係る基板カバー及びコントロール基板の取付構造を示す断面図。
【図１４】図１３において、係止部が形状復帰した状態を示す断面図。
【図１５】本発明の実施形態７に係る基板カバー及びコントロール基板の取付構造を示す断面図。
【図１６】図１５の基板カバー及びコントロール基板の取付構造を示す平面図。
【図１７】本発明の実施形態８に係る基板カバー及びコントロール基板の取付構造を示す断面図。
【発明を実施するための形態】
【００２９】
＜実施形態１＞
本発明の実施形態１を図１ないし図６によって説明する。まず、液晶表示装置１０を備えたテレビ受信装置ＴＶの構成について説明する。図１は本実施形態のテレビ受信装置の概略構成を示す分解斜視図、図２は図１のテレビ受信装置が備える液晶表示装置の概略構成を示す分解斜視図、図３は図２の液晶表示装置の長辺方向に沿った断面構成を示す断面図である。なお、液晶表示装置１０（及びシャーシ１４）の長辺方向をＸ軸方向とし、短辺方向をＹ軸方向としている。また、図３における上下方向をＺ軸方向（表裏方向）とし、図３における上方向を表側、下方向を裏側としている。
【００３０】
本実施形態に係るテレビ受信装置ＴＶは、図１に示すように、液晶表示装置１０と、当該液晶表示装置１０を挟むようにして収容する表裏両キャビネットＣａ，Ｃｂと、電源基板Ｐと、チューナーＴと、スタンドＳとを備えて構成される。液晶表示装置１０（表示装置）は、全体として横長の方形を成し、縦置き状態（短辺方向が鉛直方向に沿って配された状態）で収容されている。この液晶表示装置１０は、図２に示すように、液晶パネル１１（表示パネル）と、外部光源であるバックライト装置１２（照明装置）とを備え、これらが枠状のベゼル１３などにより一体的に保持されるようになっている。
【００３１】
次に、液晶表示装置１０を構成する液晶パネル１１及びバックライト装置１２について説明する。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３参照）。
【００３２】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。
【００３３】
さらに、シャーシ１４内には、冷陰極管１７（光源）と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とが収容されている。なお、当該バックライト装置１２においては、冷陰極管１７よりも拡散板１５ａ側が光出射側となっている。
【００３４】
シャーシ１４は、金属製の板状部材が板金成形されたものとされ、矩形平板状の底板１４ａと、その各辺から立ち上がり略Ｕ字状に折り返された外縁部２１（短辺方向の短辺外縁部２１ａ及び長辺方向の長辺外縁部２１ｂ）とからなる略箱型をなしている。シャーシ１４の底板１４ａにおいて、その長辺方向の両端部には、中継コネクタ１９を取り付けるための取付孔２２が複数貫通形成されている。さらに、シャーシ１４の長辺外縁部２１ｂの上面には、固定孔（図示せず）が貫通形成されており、例えばネジ等によりベゼル１３、フレーム１６、及びシャーシ１４等を一体化することが可能とされている。なお、シャーシ１４の材質は金属に限定されず適宜変更可能である。
【００３５】
図２及び図６に示すように、シャーシ１４の底板１４ａの内面側（冷陰極管１７と対向する面側）には光反射シート２３が配設されている。光反射シート２３は、合成樹脂製とされ、その表面が反射性に優れた白色とされており、シャーシ１４の底板１４ａの内面に沿ってそのほぼ全域を覆うように敷かれている（図３では光反射シートは不図示）。この光反射シート２３により、冷陰極管１７から出射された光を拡散板１５ａ側に反射させることが可能となっている。
【００３６】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、シャーシ１４とフレーム１６とに挟まれることで固定されている。
【００３７】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。
【００３８】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。
【００３９】
冷陰極管１７の端部を覆うホルダ２０は、白色を呈する合成樹脂製とされ、シャーシ１４の短辺方向に沿って延びる細長い略箱型をなしている。当該ホルダ２０は、シャーシ１４の短辺外縁部２１ａと一部重畳した状態で配されており、短辺外縁部２１ａとともに当該バックライト装置１２の側壁を構成している。図３に示すように、ホルダ２０のうちシャーシ１４の折返し外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
【００４０】
ホルダ２０の階段状面は、図３に示すように、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。
【００４１】
図２及び図４に示すように、シャーシ１４の底板１４ａの外面側（冷陰極管１７とは反対側、裏面側）には、インバータ基板３０及びコントロール基板４０が取り付けられている。なお、上述した電源基板Ｐ（図１参照、図４では図示せず）は、インバータ基板３０やコントロール基板４０などと電気的に接続され、これらに電力を供給する電力供給源とされている。
【００４２】
インバータ基板３０は、シャーシ１４の長辺方向の両端部にそれぞれ設けられ、シャーシ１４の短辺方向に沿った長い方形状をなしている。各インバータ基板３０は、コネクタ２７及びハーネス２８を介して冷陰極管１７と電気的に接続されている。また、インバータ基板３０は、電源基板Ｐから入力される入力電圧をトランスなどにより構成されるインバータ回路によって昇圧し、入力電圧よりも高い出力電圧を冷陰極管１７へ出力するなどして冷陰極管１７の点灯（又は消灯）を制御する機能を有する。
【００４３】
コントロール基板４０（回路基板）は、図４に示すように、方形状をなしており、シャーシ１４の長辺方向における中央部、かつシャーシ１４の短辺方向において一方に偏った位置（図４の上側）に配されている。コントロール基板４０は、合成樹脂製（例えば紙フェノール製またはガラスエポキシ樹脂製など）の基板上に回路部品４１が実装されており、チューナーＴからのテレビ信号などの各種入力信号を液晶駆動用の信号に変換し、その変換した液晶駆動用の信号を液晶パネル１１に供給する機能を有する。
【００４４】
シャーシ１４の底板１４ａには、図２及び図５に示すように、コントロール基板４０を覆う形で基板カバー６０が取り付けられており、各インバータ基板３０を覆う形で基板カバー３１がそれぞれ取り付けられている。なお、図４は、基板カバー６０，３１を取り外した状態のシャーシ１４を示している。このような基板カバー６０，３１は、各基板４０，３０の保護を図るとともに、基板駆動時などに基板が高温となった際に、基板に手などが触れる事態を防止する機能を担っている。
【００４５】
基板カバー６０は、図５及び図６に示すように、平面視方形状をなす板状の部材であって、シャーシ１４側に向かって開口された断面視略Ｕ字型をなす中央部６１と、中央部６１のシャーシ１４の長辺方向における両端（図５の左右両端）から底板１４ａに沿ってそれぞれ延びる端部６２と、を備えている。
【００４６】
次に、シャーシ１４に対するコントロール基板４０及び基板カバー６０の取付構造について説明する。シャーシ１４の底板１４ａにおけるシャーシ１４外側の面において、コントロール基板４０の取付箇所には、図６に示すように、取付台座部５０（取付部）が複数形成されており、コントロール基板４０は、複数の取付台座部５０に跨る形で配されている。
【００４７】
取付台座部５０は、平面視円形状をなしており、底板１４ａの一部をシャーシ１４外面側に突き出すことで形成されている。取付台座部５０は、図５に示すように、方形状をなすコントロール基板４０の４隅に対応する位置にそれぞれ形成されている。
【００４８】
図６に示すように、各取付台座部５０には、基板カバー６０に向けて突き出す形で、略円柱状をなすボルト部材７０（突部）が設けられている。ボルト部材７０は、その突き出し方向が、シャーシ１４の底板１４ａの延設方向（Ｘ軸及びＹ軸方向、図６では左右方向）と直交する方向（Ｚ軸方向）と一致する形で延びている。ボルト部材７０は、コントロール基板４０に形成された基板側挿通孔４５及び基板カバー６０の端部６２に形成されたカバー側挿通孔６５（挿通孔）の双方に挿通されている。
【００４９】
ボルト部材７０は、取付台座部５０からの突出長さＬ１が、基板カバー６０の板厚ｔ１とコントロール基板４０の板厚ｔ２とを合わせた長さ以上の長さとなる形で形成されており、図６に示すように、コントロール基板４０及び基板カバー６０をシャーシ１４に取り付けた状態において、ボルト部材７０の先端がシャーシ１４の外側（図６では上側）に突き出す構成となっている。
【００５０】
そして、ボルト部材７０には、ナット部材８０（係止部）が付設されている。ナット部材８０は平面視六角状をなしており、ナット部材８０の平面視における中央部に形成された貫通孔８１にボルト部材７０が挿通される構成となっている。そして、貫通孔８１の内周面及びボルト部材７０の外周面に形成されたねじ（一条ねじ）によって、ボルト部材７０及びナット部材８０が互いに螺合する構成となっている。
【００５１】
ボルト部材７０に螺合されたナット部材８０は、図６に示すように、基板カバー６０を、シャーシ１４との間で挟持する形にて配されている。これにより、ナット部材８０は、基板カバー６０をシャーシ１４に係止する構成となっている。より具体的には、コントロール基板４０の端部及び基板カバー６０の端部６２は、取付台座部５０とナット部材８０によって挟持されている。
【００５２】
また、本実施形態においては、シャーシ１４の底板１４ａにおいて、インバータ基板３０の長辺方向両端に対応する箇所に取付台座部５０がそれぞれ形成されており、インバータ基板３０及び基板カバー３１をボルト部材７０及びナット部材８０を介して取り付け可能な構成となっている。インバータ基板３０及び基板カバー３１を取付台座部５０に取り付けるための取付構造は、コントロール基板４０及び基板カバー６０を取付台座部５０に取り付けるための取付構造と同じであるため、詳しい説明は省略する。
【００５３】
次に、本実施形態のバックライト装置１２において、シャーシ１４に対してコントロール基板４０及び基板カバー６０を取り付ける手順について説明する。本実施形態においては、シャーシ１４を保持具（図示せず）などで縦置き状態、つまり、シャーシ１４の底板１４ａの延設面が鉛直方向に沿った状態（図４の状態）とし、その状態でコントロール基板４０及び基板カバー６０の取付が行われる。また、本実施形態においては、シャーシ１４におけるコントロール基板４０が配される側（図４の上側）が鉛直方向上側となる形でバックライト装置１２が保持されている。
【００５４】
まず、図６に示すように、各ボルト部材７０がコントロール基板４０の各基板側挿通孔４５に挿通されるようにコントロール基板４０を配する。これにより、コントロール基板４０がシャーシ１４に対して保持（仮保持）される。
【００５５】
続いて、コントロール基板４０をシャーシ１４の外側から覆う形で基板カバー６０を配する。具体的には、各ボルト部材７０が基板カバー６０の各カバー側挿通孔６５に挿通されるように基板カバー６０を配する。これにより、基板カバー６０がシャーシ１４に対して保持（仮保持）される（図６の状態）。なお、この状態では、基板カバー６０の各端部６２とコントロール基板４０の左右両側の周端部とが、それぞれ平面視において重畳する形で配される。
【００５６】
次に、ボルト部材７０にナット部材８０を螺合させる。これにより、コントロール基板４０及び基板カバー６０とが、取付台座部５０とナット部材８０によって挟持される。この結果、ナット部材８０によって、シャーシ１４に対するコントロール基板４０及び基板カバー６０の係止が行われ、シャーシ１４に対するコントロール基板４０及び基板カバー６０の取付が完了する。
【００５７】
以上、説明したように、本実施形態のバックライト装置１２は、冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、基板カバー６０をシャーシ１４に対して係止するためのナット部材８０と、を備え、シャーシ１４における基板カバー６０の取付箇所には、基板カバー６０に向けて突出されるボルト部材７０が設けられ、基板カバー６０には、ボルト部材７０が挿通されるカバー側挿通孔６５が形成され、ナット部材８０は、カバー側挿通孔６５にボルト部材７０が挿通された状態の基板カバー６０を、シャーシ１４との間で挟む形にて当該シャーシ１４に係止可能なように、ボルト部材７０に付設されてなる。
【００５８】
本実施形態においては、ボルト部材７０をカバー側挿通孔６５に挿通させることにより、基板カバー６０をシャーシ１４に対して保持させることができる。これにより、ボルト部材７０をカバー側挿通孔６５に挿通させた後は、基板カバー６０を手などで保持する必要がなく、作業性を向上させることができる。そして、ナット部材８０はカバー側挿通孔６５にボルト部材７０が挿通された状態の基板カバー６０を、シャーシ１４との間で挟む形にて当該シャーシ１４に係止可能なように、ボルト部材７０に付設されている。
【００５９】
このため、基板カバー６０がボルト部材７０から外れてしまう事態を抑制でき、基板カバー６０を確実にシャーシ１４に対して、固定することができる。また、本実施形態においては、通常、基板カバー６０の固定に用いるビスなどを用いる必要がなく、基板カバー６０をシャーシ１４に対して固定することができる。
【００６０】
なお、本実施形態の基板カバー６０の取付構造は、特に、シャーシ１４を保持具（図示せず）などで縦置き状態、つまり、シャーシ１４の底板１４ａの延設面が鉛直方向に沿った状態とした場合に好適である。なぜなら、従来、鉛直方向に沿った状態の底板１４ａの所定箇所に基板カバー６０を取り付ける場合は、基板カバー６０を保持させておかないと基板カバー６０が落下してしまう。このため、作業者は、基板カバー６０を手などで保持しつつ、基板カバー６０の取付を行う必要があった。また、手などで基板カバー６０を保持する場合は、基板カバー６０が手から落下する事態も懸念される。
【００６１】
この点、本実施形態においては、ボルト部材７０にカバー側挿通孔６５を挿通させた時点で基板カバー６０をシャーシ１４に対して引っ掛ける形で保持でき、その後、ナット部材８０にて基板カバー６０を固定することができる。このため、基板カバー６０を手などで保持する必要がなく、作業性が良好となる。また、基板カバー６０を手などで保持した場合に懸念される基板カバー６０の落下を抑制することができる。
【００６２】
また、本実施形態においては、比較的簡易な構成であるボルト部材７０及びナット部材８０を用いており、製造に係るコストを低減することができる。
【００６３】
＜実施形態２＞
次に、本発明の実施形態２を図７によって説明する。上記実施形態と同一部分には、同一符号を付して重複する説明を省略する。図７に示すように、本実施形態のバックライト装置１１２においては、上記実施形態と同様に、ボルト部材１７０（突部）とナット部材１８０（係止部）を螺合させることで、基板カバー６０をシャーシ１４に対して固定する構成とした。そして、ボルト部材１７０の外周及びナット部材１８０に形成された貫通孔１８１には、それぞれ２条ねじが形成されており、ナット部材１８０及びボルト部材１７０は２条ねじ（多条ねじの一例）を介して、互いに螺合されている。
【００６４】
このように、２条ねじによって、ボルト部材１７０及びナット部材１８０が螺合される構成であれば、１条ねじを用いた構成と比較して、ナット部材１８０をボルト部材１７０に螺合させる際の作業速度を向上させることができ、作業性が良好となる。なお、ナット部材１８０及びボルト部材１７０の螺合は２条ねじに限定されず、その条数は適宜変更可能である。また、２条ねじよりも条数の多いねじを用いてもよい。
【００６５】
＜実施形態３＞
次に、本発明の実施形態３を図８及び図９によって説明する。上記実施形態と同一部分には、同一符号を付して重複する説明を省略する。図８に示すように、本実施形態のバックライト装置２１２においては、上記実施形態のボルト部材７０，１７０の代わりに略円柱状をなす突部２７０が設けられている。突部２７０は、例えば、取付台座部５０の一部を基板カバー６０に向けて突き出すことで形成されている。
【００６６】
突部２７０は、基板側挿通孔４５及びカバー側挿通孔６５の双方に挿通可能となっている。両挿通孔４５，６５に挿通された突部２７０の先端側には、係止部２８０が取り付けられている。係止部２８０は、図９に示すように、係止部側挿通孔２８１を有する平面視環状をなし、例えば、ゴムなどの弾性部材とされる。
【００６７】
そして、係止部側挿通孔２８１の内周面には、複数の突起部２８２が形成されている。突起部２８２は、図９に示すようにＺ軸方向に延びる断面視略三角形状をなしており、複数の突起部２８２が係止部側挿通孔２８１の内周面の全周に渡って配列されている。また、係止部側挿通孔２８１の内径（各突起部２８２の先端を結んだ円の直径）は、突部２７０の外径よりわずかに小さく設定されている。
【００６８】
以上の構成により、係止部２８０の係止部側挿通孔２８１を拡げつつ、突部２７０に挿通させることで、突起部２８２の先端が突部２７０の外周面に押圧される。これにより、突部２７０に対して係止部２８０が取り付けられる構成（係止部が突部に付設される構成）となっている。このように、複数の突起部２８２が突部２７０に当接することで、係止部２８０が突部２７０から脱落する事態をより確実に抑制でき、コントロール基板４０及び基板カバー６０をより確実にシャーシ１４に対して固定することができる。
【００６９】
＜実施形態４＞
次に、本発明の実施形態４を図１０によって説明する。上記実施形態と同一部分には、同一符号を付して重複する説明を省略する。図１０に示すように、本実施形態のバックライト装置３１２においては、取付台座部５０に略円柱状をなす突部３７０が設けられており、その突部３７０の先端を覆う形でキャップ部材３８０（係止部）が取り付けられている。
【００７０】
キャップ部材３８０は、例えば、ゴムなどの弾性部材からなり、円管状をなし、突部３７０に外挿される本体部３８１と、本体部３８１における裏側（図１０の上側）の端部に形成されたフランジ部３８２とを備えている。本体部３８１は、表側（図１０の下側）に開口された嵌合部３８１Ａを有している。この嵌合部３８１Ａの径（本体部３８１の内径）は、突部３７０の外径よりわずかに小さく設定されており、嵌合部３８１Ａの径が広がる形で、本体部３８１を弾性変形させることで、嵌合部３８１Ａを突部３７０に嵌合可能となっている。また、本体部３８１の外径は、カバー側挿通孔６５（又は基板側挿通孔４５）の孔径よりわずかに小さく設定されている。以上の構成により、本体部３８１は、カバー側挿通孔６５及び基板側挿通孔４５に挿通可能となっており、突部３７０の外周面と、カバー側挿通孔６５及び基板側挿通孔４５の内周面との間に介在される構成となっている。
【００７１】
これにより、突部３７０に本体部３８１（嵌合部３８１Ａ）を嵌合させることで、突部３７０にキャップ部材３８０を取り付けることができる。そして、突部３７０の先端を覆う形でキャップ部材３８０を取り付けた状態において、フランジ部３８２と、取付台座部５０との間で、コントロール基板４０及び基板カバー６０を挟持する構成となっており、コントロール基板４０及び基板カバー６０をシャーシ１４に対して係止可能となっている。また、突部３７０の先端をキャップ部材３８０によって覆うことで、安全性をより高くすることができる。
【００７２】
＜実施形態５＞
次に、本発明の実施形態５を図１１及び図１２によって説明する。上記実施形態と同一部分には、同一符号を付して重複する説明を省略する。図１１及び図１２に示すように、本実施形態のバックライト装置４１２においては、略円柱状をなす突部４７０にＥリング４８０（スナップリング、係止部）を外挿する構成となっている。
【００７３】
突部４７０の外周面には溝部４７１が全周に渡って延びる形で形成されており、この溝部４７１にＥリング４８０を嵌合可能となっている。より具体的には、Ｅリング４８０の内周面には内側に突き出す形で当接部４８１が３か所設けられており、各当接部４８１が溝部４７１の底面に、それぞれ押圧されることで、Ｅリング４８０が突部４７０に取り付けられる構成となっている。また、Ｅリング４８０は溝部４７１に取り付けられることで、Ｚ軸方向における移動が規制される。以上の構成により、Ｅリング４８０は基板カバー６０（及びコントロール基板４０）を、シャーシ１４（取付台座部５０）との間で挟む形にて当該シャーシ１４に係止することができる。このように、Ｅリング４８０を突部４７０に外挿するだけで、基板カバー６０の固定を行うことができ、作業性を向上させることができる。なお、Ｅリング４８０以外のスナップリングを溝部４７１に嵌める構成としてもよい。
【００７４】
＜実施形態６＞
次に、本発明の実施形態６を図１３及び図１４によって説明する。上記実施形態と同一部分には、同一符号を付して重複する説明を省略する。図１３に示すように、本実施形態のバックライト装置５１２においては、取付台座部５０に板状部材５６０が設けられている。板状部材５６０は、例えば、Ｎｉ−ＴｉやＣｕ−Ｚｎ−Ａｌ等の形状記憶合金（Shape memory alloy：SMA）の板材を折り曲げることで形成されている。
【００７５】
板状部材５６０は、その温度が変態点温度より高い温度（所定温度）になると、その先端部５８０（係止部）が、基板カバー６０の板面に沿った方向（例えばＸ軸方向）に延び、同方向における長さが、カバー側挿通孔６５の径よりも大きくなる形状（図１４に示す形状）に復帰するように予め記憶されている。
【００７６】
本実施形態において、基板カバー６０をシャーシ１４に対して係止するためには、次のようにする。まず、図１３に示すように、板状部材５６０を変態点温度より低い温度の状態において、その先端部に向かうに連れて先細りする形状にしておく。そして、カバー側挿通孔６５及び基板側挿通孔４５に板状部材５６０を挿通させる。板状部材５６０を先細りする形状にしておくことで、カバー側挿通孔６５及び基板側挿通孔４５への挿通作業が容易となる。
【００７７】
そして、カバー側挿通孔６５及び基板側挿通孔４５が、板状部材５６０の基端部５７０（突部）に挿通された状態で、板状部材５６０を変態点温度より高い温度となるように加熱する。すると、図１４に示すように板状部材５６０の先端部５８０は、その幅が広がり、シャーシ１４に対して、基板カバー６０を係止する形状に復帰する。
【００７８】
本実施形態においては、板状部材５６０を変態点温度以上の温度にすることで、シャーシ１４との間で挟む形にて当該シャーシ１４に係止する形状に先端部５８０を変形させることができる。このような構成とすれば、先端部５８０を基板カバー６０に係止させる作業を容易に行うことができ、好適である。また、基板カバー６０における複数個所（例えば、基板カバー６０の４隅に対応した４箇所）に板状部材５６０を設けている構成の場合には、温度変化によって、各先端部５８０を一括して基板カバー６０に係止させる形状へ変形させることができるから、作業性を大幅に向上させることができる。
【００７９】
なお、板状部材５６０の変態点温度は適宜設定可能であり、例えば、コントロール基板４０に実装された回路部品などの耐熱温度よりも低い温度に設定するのがよい。
【００８０】
＜実施形態７＞
次に、本発明の実施形態７を図１５及び図１６によって説明する。上記実施形態と同一部分には、同一符号を付して重複する説明を省略する。本実施形態のバックライト装置６１２においては、図１５に示すように、取付台座部５０に形成された突部６７０と、突部６７０の先端に形成された係止部６８０とを備えている。
【００８１】
突部６７０及び係止部６８０は共に円柱状をなしている。突部６７０の径は、カバー側挿通孔６５（又は基板側挿通孔４５）の孔径よりも小さく設定されている。また、係止部６８０の径は、カバー側挿通孔６５（又は基板側挿通孔４５）の径よりも大きく設定されている。
【００８２】
係止部６８０における突出端側（先端、図１５の上側）の面には、係止部側溝部６８１が形成されている。係止部側溝部６８１は、図１６に示すように、Ｙ軸方向に延びる形で形成され、図１５に示すように、突部６７０に達する深さで形成されている。このように係止部側溝部６８１を形成することにより、係止部６８０は、カバー側挿通孔６５の孔径よりも小さい径となる形で弾性変形可能な構成となっている。具体的には図１６の平面視において、係止部側溝部６８１の溝幅Ｗ１の分だけ、Ｘ軸方向における係止部６８０の径を小さくする形で、係止部６８０を縮径変形させることができる。
【００８３】
本実施形態の構成によれば、係止部６８０をカバー側挿通孔６５の孔径よりも小さい径に縮径変形させた状態で、カバー側挿通孔６５に係止部６８０及び突部６７０を挿通させる。カバー側挿通孔６５が係止部６８０を通過して突部６７０に挿通された状態では、係止部６８０が弾性復帰して、カバー側挿通孔６５の孔径よりも大きい径となる。これにより、係止部６８０は基板カバー６０（及びコントロール基板４０）をシャーシ１４との間で挟む形にて当該シャーシ１４に係止することができる。
【００８４】
また、本実施形態において、係止部６８０における突出端側の面の周端を傾斜面６８２（テーパ状）としてもよい（傾斜面６８２を破線で示す）。このような構成とすれば、例えば、係止部６８０をカバー側挿通孔６５に挿通させる際に、カバー側挿通孔６５の孔縁部にて傾斜面６８２を押圧することで、係止部６８０を縮径変形させることができ、カバー側挿通孔６５に係止部６８０を挿通させることができる。つまり、係止部６８０の挿通作業と同時に係止部６８０を縮径変形させることができ、作業性を向上させることができる。
【００８５】
＜実施形態８＞
次に、本発明の実施形態８を図１７によって説明する。上記実施形態と同一部分には、同一符号を付して重複する説明を省略する。図１７に示すように、本実施形態のバックライト装置７１２においては、取付台座部５０に円管状をなす突部７７０が形成されている。そして、カバー側挿通孔６５に突部７７０を挿通させた後、突部７７０の先端を専用の工具７９０などでかしめることで、係止部７８０を形成する構成としている。このように、突部７７０の先端をかしめることで、係止部７８０を形成すれば、基板カバー６０を、より強固にシャーシ１４に対して係止することができる。
【００８６】
＜他の実施形態＞
本発明は上記記述及び図面によって説明した実施形態に限定されるものではなく、例えば次のような実施形態も本発明の技術的範囲に含まれる。
【００８７】
（１）カバー側挿通孔６５及び突部の形状、形成箇所、個数などは上記構成のものに限定されず適宜変更可能である。
【００８８】
（２）取付台座部５０の形状は、上記実施形態のものに限定されない。また、基板カバー６０及びコントロール基板４０は、シャーシ１４の底板１４ａのうち、取付台座部５０が形成されていない箇所に取り付けられる構成であってもよい。つまり、突部の形成箇所は取付台座部５０に限定されず、適宜変更可能である。
【００８９】
（３）上記実施形態では、回路基板として、コントロール基板４０を例示したが、これに限定されない。シャーシ１４に取り付けられる回路基板及び基板カバーであれば、本発明の構成（突部及び係止部にて固定する構成）を適用することが可能である。
【００９０】
（４）上記実施形態では、コントロール基板４０及び基板カバー６０の双方を突部と係止部にて固定する構成としたが、これに限定されない。例えば、コントロール基板４０は、ビスなどでシャーシに固定し、基板カバー６０だけを本発明の構成（突部及び係止部にて固定する構成）によって固定してもよい。
【００９１】
（５）上記実施形態では、光源として冷陰極管１７を用いた場合を示したが、これに限定されない。光源として熱陰極管やＬＥＤなどを用いることも可能である。
【００９２】
（６）上記実施形態では、液晶パネル１１及びシャーシ１４がその短辺方向を鉛直方向と一致させた縦置き状態とされるものを例示したが、液晶パネル１１及びシャーシ１４がその長辺方向を鉛直方向と一致させた縦置き状態とされるものも本発明に含まれる。
【００９３】
（７）上記実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００９４】
（８）上記実施形態では、表示パネルとして液晶パネル１１を用いた液晶表示装置１０を例示したが、他の種類の表示パネルを用いた表示装置にも本発明は適用可能である。
【００９５】
（９）上記実施形態では、チューナーを備えたテレビ受信装置ＴＶを例示したが、チューナーを備えない表示装置にも本発明は適用可能である。
【符号の説明】
【００９６】
１０…液晶表示装置（表示装置）、１１…液晶パネル（表示パネル）、１２，１１２，２１２，３１２，４１２，５１２，６１２，７１２…バックライト装置（照明装置）、１４…シャーシ、１７…冷陰極管（光源）、４０…コントロール基板（回路基板）、６０…基板カバー、６５…カバー側挿通孔（挿通孔）、７０，１７０…ボルト部材（突部）、８０，１８０…ナット部材（係止部）、２８１…係止部側挿通孔、２８２…突起部、２７０，３７０，４７０，６７０，７７０…突部、２８０，６８０，７８０…係止部、３８０…キャップ部材（係止部）、３８２…フランジ部、４８０…Ｅリング（スナップリング、係止部）、５７０…基端部（突部）、５８０…先端部（係止部）、６８１…係止部側溝部、ＴＶ…テレビ受信装置
【図１】
2012043613.tif 000003
【図２】
2012043613.tif 000004
【図３】
2012043613.tif 000005
【図４】
2012043613.tif 000006
【図５】
2012043613.tif 000007
【図６】
2012043613.tif 000008
【図７】
2012043613.tif 000009
【図８】
2012043613.tif 000010
【図９】
2012043613.tif 000011
【図１０】
2012043613.tif 000012
【図１１】
2012043613.tif 000013
【図１２】
2012043613.tif 000014
【図１３】
2012043613.tif 000015
【図１４】
2012043613.tif 000016
【図１５】
2012043613.tif 000017
【図１６】
2012043613.tif 000018
【図１７】
2012043613.tif 000019